(57)【要約】【課題】  移動体通信端末間で、時間と電話番号とを予め取り決めておくことなく、リアルタイム情報の送受信を可能とし、移動体通信端末間で簡易なリアルタイム情報の送受信を可能とする。【解決手段】  リアルタイム情報送信希望者１がその情報を発信する時、キーワード検索用サーバ６に自身の電話番号とリアルタイム情報に関連するキーワードとを登録し、いつでも自身の発信しているリアルタイム情報に受信者８がアクセスできるようにする。よってリアルタイム情報を送信する前に、予めリアルタイム情報の受信を希望する受信者８の電話番号をリアルタイム情報の送受信経路以外から入手する必要がない。また、送信者１が情報を発信しようとする時、リアルタイム放送用サーバ５に自身の発信するリアルタイム情報を送信するようにしておく。リアルタイム情報の受信を希望する受信者８は、自分の好みのリアルタイム情報を当該サーバ５から確認のために入手できる。【選択図】      図２                                                  
2005244378.tif 000002
【特許請求の範囲】
【請求項１】
移動体通信端末と、前記端末から通信網を介してアクセス自在なサーバとを含み、前記端末間でリアルタイム情報の送受信をなす情報送受信システムであって、
前記サーバは、
情報送信側端末の電話番号及び前記情報に関連するキーワードとを予め登録する手段と、前記情報の受信を希望する受信側端末からの前記キーワードによる検索要求に応答して、前記キーワードを用いて登録内容を検索する手段と、この検索されたキーワードに対応する電話番号を前記受信側端末へ通知する手段とを有することを特徴とする情報送受信システム。
【請求項２】
前記受信側端末は、前記サーバから通知された電話番号による前記情報送信側端末へアクセスする手段と、このアクセスに応答して前記情報送信側端末からの情報を受信する手段とを有することを特徴とする請求項１記載の情報送受信システム。
【請求項３】
前記端末から通信網を介してアクセス自在でありかつ前記情報送信側端末から送信された送信情報を受信する第二のサーバを、更に含み、
前記第二のサーバは、前記受信側端末からの要求に応答して前記情報送信側端末からの情報を当該受信側端末へ送信する手段を有することを特徴とする請求項１または２記載の情報送受信システム。
【請求項４】
移動体通信端末と、前記端末から通信網を介してアクセス自在なサーバとを含み、前記端末間でリアルタイム情報の送受信をなす情報送受信方法であって、
前記サーバにおいて、
情報送信側端末の電話番号及び前記情報に関連するキーワードとを予め登録するステップと、前記情報の受信を希望する受信側端末からの前記キーワードによる検索要求に応答して、前記キーワードを用いて登録内容を検索するステップと、この検索されたキーワードに対応する電話番号を前記受信側端末へ通知するステップとを含むことを特徴とする情報送受信方法。
【請求項５】
前記受信側端末において、前記サーバから通知された電話番号による前記情報送信側端末へアクセスするステップと、このアクセスに応答して前記情報送信側端末からの情報を受信するステップとを含むことを特徴とする請求項４記載の情報送受信方法。
【請求項６】
前記情報送信側端末において、前記端末から通信網を介してアクセス自在な第二のサーバに対して送信するステップと、
前記第二のサーバにおいて、前記受信側端末からの要求に応答して前記情報送信側端末からの情報を当該受信側端末へ送信するステップとを含むことを特徴とする請求項４または５記載の情報送受信方法。
【請求項７】
移動体通信端末間でリアルタイム情報の送受信をなす情報送受信システムに用いられるサーバであって、
情報送信側端末の電話番号及び前記情報に関連するキーワードとを予め登録する手段と、
前記情報の受信を希望する受信側端末からの前記キーワードによる検索要求に応答して、前記キーワードを用いて登録内容を検索する手段と、
この検索されたキーワードに対応する電話番号を前記受信側端末へ通知する手段とを含むことを特徴とするサーバ。
【請求項８】
移動体通信端末間でリアルタイム情報の送受信をなす情報送受信システムに用いられるサーバの動作をコンピュータに実行させるためのプログラムであって、
情報送信側端末の電話番号及び前記情報に関連するキーワードとを予め登録する処理と、
前記情報の受信を希望する受信側端末からの前記キーワードによる検索要求に応答して、前記キーワードを用いて登録内容を検索する処理と、
この検索されたキーワードに対応する電話番号を前記受信側端末へ通知する処理とを含むことを特徴とするプログラム。
【発明の詳細な説明】
【技術分野】
【０００１】
本発明は情報送受信システム及びその方法並びにそれに用いるサーバ、プログラムに関し、特に移動通信端末間でリアルタイム情報の送受信を通信網を介して行うようにしたリアルタイム情報の送受信方式に関するものである。
【背景技術】
【０００２】
従来の移動体通信端末間のリアルタイム情報の送受信方法を、図３を参照して説明する。図３において、ある特定のリアルタイム情報を送信する送信側端末１は、リアルタイム情報の受信を希望する受信側端末８に対して、無線基地局２および移動体通信網３および無線基地局７を経由してリアルタイム情報を送信する。
【０００３】
ここで、特許文献１を参照すると、情報公開者が不特定多数の者に対してリアルタイムに情報を公開する場合に、メールサーバなるものを準備しておき、情報公開者は、このメールサーバに対して、公開情報を送信しておき、受信希望する者はこのメールサーバにアクセスして情報を閲覧するようにした技術が開示されている。
【特許文献１】特開２００２−３１２２８７号公報
【発明の開示】
【発明が解決しようとする課題】
【０００４】
しかしながら、図３に示した従来のリアルタイム情報の送受信方法には、次のような問題点がある。第１の問題点は、リアルタイム放送を送信する送信側端末１が、リアルタイム情報を送信する前に、予めリアルタイム情報を送信する場合とは異なった経路９で、リアルタイム情報を受信希望する受信側端末８の電話番号を入手する必要があるということである。
【０００５】
第２の問題点は、リアルタイム放送を受信する受信側端末８が、リアルタイム情報を受信する前に、予めリアルタイム情報を受信する場合とは異なった経路９で、リアルタイム情報を送信してくれる送信側端末１の電話番号を、入手する必要があるということである。
【０００６】
第３の問題点は、リアルタイム放送を受信する受信側端末８が、送信側端末１の送信するリアルタイム情報を受信する前に、実際に送信側端末１が送信するリアルタイム情報の内容を確認できないということである。
【０００７】
また、特許文献１の技術では、メールサーバを介して情報の公開を行うものであるから、メールサーバのアクセス番号を知っていれば、誰でも情報の閲覧は可能であるが、メールサーバを介するものであるために、情報送信側端末と受信側端末との間で直接に情報の送受信をなす技術ではない。
【０００８】
本発明の目的は、情報送信側端末と情報受信側端末とが、リアルタイム情報を送受信する前に、予め互いの電話番号、リアルタイム情報の送受信時期を、リアルタイム情報を送受信する場合とは異なった経路で知っておく必要がなく、互いに簡易なリアルタイム情報の送受信が行えるようにした情報送受信システム及びその方法並びにそれに用いるサーバ、プログラムを提供することである。
【課題を解決するための手段】
【０００９】
本発明による情報送受信システムは、移動体通信端末と、これら端末から通信網を介してアクセス自在なサーバとを含み、前記端末間でリアルタイム情報の送受信をなす情報送受信システムであって、前記サーバは、情報送信側端末の電話番号及び前記情報に関連するキーワードとを予め登録する手段と、前記情報の受信を希望する受信側端末からの前記キーワードによる検索要求に応答して、前記キーワードを用いて登録内容を検索する手段と、この検索されたキーワードに対応する電話番号を前記受信側端末へ通知する手段とを有することを特徴とする。
【００１０】
本発明による情報送受信方法は、移動体通信端末と、これら端末から通信網を介してアクセス自在なサーバとを含み、前記端末間でリアルタイム情報の送受信をなす情報送受信方法であって、前記サーバにおいて、情報送信側端末の電話番号及び前記情報に関連するキーワードとを予め登録するステップと、前記情報の受信を希望する受信側端末からの前記キーワードによる検索要求に応答して、前記キーワードを用いて登録内容を検索するステップと、この検索されたキーワードに対応する電話番号を前記受信側端末へ通知するステップとを含むことを特徴とする。
【００１１】
本発明によるサーバは、移動体通信端末間でリアルタイム情報の送受信をなす情報送受信システムに用いられるサーバであって、情報送信側端末の電話番号及び前記情報に関連するキーワードとを予め登録する手段と、前記情報の受信を希望する受信側端末からの前記キーワードによる検索要求に応答して、前記キーワードを用いて登録内容を検索する手段と、この検索されたキーワードに対応する電話番号を前記受信側端末へ通知する手段とを含むことを特徴とする。
【００１２】
本発明によるプログラムは、移動体通信端末間でリアルタイム情報の送受信をなす情報送受信システムに用いられるサーバの動作をコンピュータに実行させるためのプログラムであって、情報送信側端末の電話番号及び前記情報に関連するキーワードとを予め登録する処理と、前記情報の受信を希望する受信側端末からの前記キーワードによる検索要求に応答して、前記キーワードを用いて登録内容を検索する処理と、この検索されたキーワードに対応する電話番号を前記受信側端末へ通知する処理とを含むことを特徴とする。
【００１３】
本発明の作用を述べる。リアルタイム情報の受信を希望する受信者が、リアルタイム情報を受信しようとする時に、キーワード検索用のサーバから、自身の好みのリアルタイム情報の発信者の電話番号を入手できるため、リアルタイム情報を受信する前に、予めある特定のリアルタイム情報の送信を希望する送信者の電話番号を、リアルタイム情報の送受信経路以外から入手する必要がない。
【００１４】
また、リアルタイム情報の送信を希望する送信者が、リアルタイム情報を発信しようとする時に、キーワード検索用のサーバに自身の電話番号とリアルタイム情報に関連するキーワードを登録し、いつでも自身の発信しているリアルタイム情報に受信者がアクセスできるようにしておくことにより、リアルタイム情報を送信する前に、予めある特定のリアルタイム情報の受信を希望する受信者の電話番号を、リアルタイム情報の送受信経路以外から入手する必要がない。
【００１５】
更に、リアルタイム情報の送信者が、このリアルタイム情報を発信しようとする時に、リアルタイム放送用のサーバに自身の発信するリアルタイム情報を送信するようにしておくことにより、リアルタイム情報の受信を希望する受信者は、自分の好みのリアルタイム情報をリアルタイム放送用のサーバから、確認のために入手することができることになる。
【発明の効果】
【００１６】
本発明によれば、移動体通信端末間で、時間と電話番号とを予め取り決めておくことなく、リアルタイム情報の送受信が可能となり、移動体通信端末間で簡易なリアルタイム情報の送受信ができるという効果がある。
【発明を実施するための最良の形態】
【００１７】
以下に図面を参照しつつ説明する。図１は本発明の実施の形態のシステム構成図である。図１において、送信側の無線端末（移動体通信端末）１は、無線基地局２と移動体通信網３とを経由して、自身が収集したリアルタイム情報をインターネット４に存在するリアルタイム放送サーバ５に送信し続けることができる。送信側無線端末１は、無線基地局２と移動体通信網３とを経由して、自身の電話番号と任意の文字列をキーワード検索サーバ６に送信することができる。
【００１８】
送信側無線端末１は、無線基地局２と移動通信網３および無線基地局７を経由してリアルタイム情報を直接に受信側無線端末８に送信することができる。インターネット４に存在するリアルタイム放送サーバ５は、送信側無線端末１から受信したリアルタイム情報を、受信側無線端末８からの要求に応じて、受信側無線端末８に送信することができる。
【００１９】
インターネット４に存在するキーワード検索サーバ６は、送信側無線端末１から受信した無線端末１の電話番号と、送信側無線端末１から受信した任意の文字列を、無線端末１から削除の要求があるまで保存しておくことができる。キーワード検索サーバ６は、受信側無線端末８から受信した任意の文字列を、無線端末１から送信されてきた任意の文字列の中から検索し、検索した結果が合っていれば無線端末１の電話番号が特定できる。キーワード検索サーバ６は、無線端末１の電話番号を、移動体通信網３と無線基地局７とを経由して受信側無線端末８に通知することができる。
【００２０】
受信側無線端末８は、無線基地局７と移動体通信網３とを経由して、インターネット４に存在するキーワード検索サーバ６に、任意の文字列を送信することができる。キーワード検索サーバ６から送信側無線端末１の電話番号を入手した受信側無線端末８は、無線基地局７と移動体通信網３とを経由して、インターネット４に存在するリアルタイム放送サーバ５より、送信側無線端末１がリアルタイム放送サーバ５に送信しているリアルタイム情報を受信することができる。受信側無線端末８は、無線基地局７と移動体通信網３および無線基地局２とを経由してリアルタイム情報を直接送信側無線端末１から受信することができる。
【００２１】
このようにして、本発明では、ある特定の話題に関するリアルタイム情報の受信を希望する端末が、リアルタイム情報を受信可能な任意の時間に、その特定の話題に関するリアルタイム情報を送信している端末の電話番号を、インターネット上に存在する検索サーバを介して検索して入手できる。
【００２２】
更に希望すれば、実際に送信されているリアルタイム情報を、インターネット上に存在するリアルタイム放送サーバを介して試しに受信して内容を確かめることができる。その後、更に希望すれば、リアルタイム情報を送信している端末から、インターネットを介さず、移動体通信網経由で直接リアルタイム情報が受信できるような構成をとっているため、端末同士で簡易なリアルタイム情報の送受信が可能となる。
【００２３】
図２は図１に示した本発明の実施の形態の動作を示すシーケンス図である。リアルタイム情報を送信しようとする端末１は、無線基地局２および移動体通信網３を経由して、インターネット４にあるリアルタイム放送サーバ５へ、リアルタイム情報を送信開始する（ステップＳ１，Ｓ２）と同時に、リアルタイム情報に関連深い検索用キーワードと、端末１からリアルタイム放送サーバ５に送信開始されたリアルタイム情報を受信するために、リアルタイム情報を受信しようとする端末８が必要とする電話番号を、キーワード検索サーバ６に登録する（ステップＳ３，Ｓ４）。
【００２４】
端末１がリアルタイム情報をリアルタイム放送サーバ５に送信開始し、検索用キーワードと端末１の電話番号をキーワード検索サーバ６に登録した後で、リアルタイム情報を受信しようとする端末８は、無線基地局７と移動体通信網３とを経由してインターネット４にあるキーワード検索サーバ６へ、受信を希望するリアルタイム情報と関連深い検索用キーワードを送信し（ステップＳ５）、キーワード検索サーバ６に登録されているキーワードを検索する（ステップＳ６）。
【００２５】
端末８がキーワード検索サーバ６へ送信した、受信を希望するリアルタイム情報と関連深い検索用キーワードが、キーワード検索サーバ６に登録されていた場合、端末８はキーワード検索用サーバ６より、端末１からリアルタイム放送サーバ５に送信開始されているリアルタイム情報を受信するために必要となる端末１の電話番号を入手することができるようになる（ステップＳ７）。
【００２６】
この時、端末８が希望するリアルタイム情報が、端末１が発信しているリアルタイム情報で問題ないことを確認するために、端末８でキーワードを検索して端末１の電話番号を入手した後、リアルタイム放送サーバ５にアクセスし、端末１が実際に発信しているリアルタイム情報の内容をリアルタイム放送サーバ５を介して確認することができる（ステップＳ８）。
【００２７】
その後、端末８は、入手した端末１の電話番号を用いて、無線基地局７と移動体通信網３と無線基地局２とを経由して、端末１に接続することにより、端末１が発信するリアルタイム情報をインターネットを通さず直接受信することができるようになる（ステップＳ９〜Ｓ１１）。
【００２８】
上記の実施の形態では、インターネット上にリアルタイム放送サーバ５とキーワード検索サーバ６とを設置しているが、これらはリアルタイム情報を送受信
する移動体通信端末からアクセスできる範囲にあればよく、例えば、移動体通信網中に存在していても良く、またこれら両サーバ５，６は一つのサーバにまとめても良いものである。
【００２９】
また、上記のリアルタイム情報の送受信とは、動画を撮影し、リアルタイムで送信できる携帯電話と、動画を受信して、リアルタイムで再生できる携帯電話との間での動画の送受信であるが、これに限定されることはない。
【００３０】
上述した図２のシーケンス図の動作は、予めその動作手順をプログラムとしてＲＯＭなどの記録媒体に格納しておき、これをコンピュータにより読み取らせて実行させるようにしても良いものである。
【図面の簡単な説明】
【００３１】
【図１】本発明の実施の形態のシステム構成図である。
【図２】本発明の実施の形態の動作を示すシーケンス図である。
【図３】従来例を説明するシステム構成図である。
【符号の説明】
【００３２】
１  送信側無線端末
２，７  無線基地局
３  移動通信網
４  インターネット
５  リアルタイム放送サーバ
６  キーワード検索サーバ
８  受信側無線端末
【図１】
2005244378.tif 000003
【図２】
2005244378.tif 000004
【図３】
2005244378.tif 000005